(57)【要約】【課題】  横断ミシン目線からジグザグ折りさせた２つの連続用紙が、プリンタ印字の際にズレが生じたりして、カスレが生じることを防止した情報隠蔽用連続用紙を提供する。【解決手段】  横断ミシン目線を介し、複数の単位葉書用紙が連接された葉書用連続用紙と、葉書用連続用紙上の左右半々の領域にそれぞれ重合され、貼り合わされている強接着用連続用紙と剥離用連続用紙とからなり、強接着用連続用紙は、折り畳み用の横断ミシン目線が形成され、前記剥離用連続用紙は、葉書用連続用紙に形成された折り畳み用の横断ミシン目線と重なる位置に折り畳み用の横断ミシン目線が形成され、葉書用連続用紙は、強接着用連続用紙が重なる領域と、剥離用連続用紙に形成された折り畳み用の横断ミシン目線と重なる所定幅領域とに強接着糊層を有し、更に強接着糊層が設けられていない他の領域に剥離後に再度貼付可能な糊層が設けられている。【選択図】        図１
2008030421.tif 000002
【特許請求の範囲】
【請求項１】
折り畳み用の横断ミシン目線を介して、複数の単位葉書用紙が連接された葉書用連続用紙と、前記葉書用連続用紙上の左右半々の領域にそれぞれ重合され、貼り合わされている強接着用連続用紙と剥離用連続用紙とからなり、
前記強接着用連続用紙は、前記葉書用連続用紙に形成された折り畳み用の横断ミシン目線と重なる位置に折り畳み用の横断ミシン目線が形成され、
前記剥離用連続用紙は、前記葉書用連続用紙に形成された折り畳み用の横断ミシン目線と重なる位置に折り畳み用の横断ミシン目線が形成され、
前記葉書用連続用紙の上面には、前記強接着用連続用紙が重なる領域と、前記剥離用連続用紙が重なる領域であって、折り畳み用の横断ミシン目線を挟んだ所定幅領域とに強接着糊層を有し、更に前記強接着糊層が設けられていない他の領域に剥離後に再度貼付可能な糊層が設けられ、
前記剥離用連続用紙の裏面において、前記折り畳み用の横断ミシン目線を挟んだ所定幅領域に設けられた強接着糊層と接触する領域に剥離層が設けられていることを特徴とする情報隠蔽用連続用紙。
【発明の詳細な説明】
【技術分野】
【０００１】
本発明は、プリンタで個人情報を印字した後に、個人情報を隠蔽状態にして郵送することができる情報隠蔽用連続用紙に関する。
【背景技術】
【０００２】
従来、個人情報を保護するために、プリンタで個人情報を印字した後に、それらの個人情報を隠蔽状態にして郵送する情報隠蔽葉書が使用されている。
個人情報が予め登録されたデータベースを有する場合には、プリンタで連続的にそれらの個人情報を利用して連続用紙に印字する方法が取られている。
これらの情報隠蔽用連続用紙は、種々の仕様の用紙が知られているが、折り畳み用の横断ミシン目線を介して、複数の単位葉書用紙が連接された葉書用連続用紙を使用する場合が多い。（例えば、特許文献１参照）
【０００３】
【特許文献１】特開平８−１５６４６２号公報
【０００４】
そして、情報隠蔽用連続用紙の単位葉書用紙を２つ折りして剥離可能に接着させるために、単位葉書用紙上の半分の領域に剥離後に再度貼付可能な糊層を設け、その上に保護用の剥離用紙を貼付することで、プリンタのよる印字が終了後に、剥離用紙を剥離させて、２つ折りして印字面を隠蔽させることができるようにしてある。
【０００５】
しかしながら、プリンタでの印字前に、折り畳み用の横断ミシン目線を介して、複数の単位葉書用紙が連接された葉書用連続用紙の上に、折り畳み用の横断ミシン目線が形成された剥離用連続用紙を仮接着させた状態で貼付させた構成を有する２つの連続用紙を、それらを折り畳み用の横断ミシン目線からジグザグ折りさせて用意した際に、折り曲げられた横断ミシン目線の部分で、２つの連続用紙にズレが生じたり、また、浮き上がったりして、プリンタ印字の際にカスレの原因となるという問題がある。
【発明の開示】
【発明が解決しようとする課題】
【０００６】
本発明は、重ねられた２つの連続用紙が、折り畳み用の横断ミシン目線からジグザグ折りさせて用意した際に、折り曲げられた横断ミシン目線の部分で、２つの連続用紙にズレが生じたり、また、浮き上がったりしないようにして、プリンタ印字の際にカスレが生じることを防止できるようにした情報隠蔽用連続用紙を提供する。
【課題を解決するための手段】
【０００７】
本発明の情報隠蔽用連続用紙は、折り畳み用の横断ミシン目線を介して、複数の単位葉書用紙が連接された葉書用連続用紙と、前記葉書用連続用紙上の左右半々の領域にそれぞれ重合され、貼り合わされている強接着用連続用紙と剥離用連続用紙とからなり、前記強接着用連続用紙は、前記葉書用連続用紙に形成された折り畳み用の横断ミシン目線と重なる位置に折り畳み用の横断ミシン目線が形成され、前記剥離用連続用紙は、前記葉書用連続用紙に形成された折り畳み用の横断ミシン目線と重なる位置に折り畳み用の横断ミシン目線が形成され、前記葉書用連続用紙の上面には、前記強接着用連続用紙が重なる領域と、前記剥離用連続用紙が重なる領域であって、折り畳み用の横断ミシン目線を挟んだ所定幅領域とに強接着糊層を有し、更に前記強接着糊層が設けられていない他の領域に剥離後に再度貼付可能な糊層が設けられ、前記剥離用連続用紙の裏面において、前記折り畳み用の横断ミシン目線を挟んだ所定幅領域に設けられた強接着糊層と接触する領域に剥離層が設けられていることを特徴とする。
【発明の効果】
【０００８】
本発明の情報隠蔽用連続用紙は、剥離用連続用紙に形成された折り畳み用の横断ミシン目線と重なる所定幅領域にも強接着糊層が設けられているので、重ねられた２つの連続用紙を、折り畳み用の横断ミシン目線からジグザグ折りさせて用意した際でも、折り曲げられた横断ミシン目線の部分で、２つの連続用紙にズレが生じたり、また、浮き上がったりすることがなく、プリンタ印字の際にカスレが生じることを防止できるという効果がある。
【発明を実施するための最良の形態】
【０００９】
以下、本発明の実施形態に係る情報隠蔽用連続用紙を、図面に基づいて詳細に説明する。
図１は、本発明の実施形態に係る情報隠蔽用連続用紙の構成を説明する展開図、図２は、本発明の実施形態に係る情報隠蔽用連続用紙の断面図である。
【００１０】
まず、本発明の実施形態に係る情報隠蔽用連続用紙の構成を、図１に基づいて説明する。
本発明の実施形態に係る情報隠蔽用連続用紙１は、葉書用連続用紙２と、その葉書用連続用紙２上の左右半々の領域にそれぞれ重合され、貼り合わされている強接着用連続用紙３と剥離用連続用紙４とから構成されている。
葉書用連続用紙２は、折り畳み用の横断ミシン目線５を介して複数の単位葉書用紙２ａが縦方向に連接され、折り畳み用の横断ミシン目線５によりジグザグ状態に折り畳むことができるように構成されている。
【００１１】
更に、葉書用連続用紙２の幅方向の中央には、葉書用連続用紙２から隠蔽葉書を作成する際に、縦方向に折り畳むための縦折り用ミシン目線６が形成されている。
したがって、縦折り用ミシン目線６から葉書用連続用紙２を２つに折り畳み、折り畳み用の横断ミシン目線５から切り取ることによって隠蔽葉書が作成される。
【００１２】
そして、葉書用連続用紙２の上面において、強接着用連続用紙３と重なる縦折り用ミシン目線６から左側半分の領域には、強接着糊が塗布された強接着糊層７ａが設けられ、更に葉書用連続用紙２の上面において、前記剥離用連続用紙４が重なる領域であって、折り畳み用の横断ミシン目線５を挟んだ所定幅領域とに強接着糊層７ｂが設けられている。
この強接着糊層７ａ，７ｂは、接着された用紙を簡単には再度剥離できない状態に接着することができる。
【００１３】
また、葉書用連続用紙２の上面における剥離用連続用紙４と重なる領域であって、強接着糊層７ｂが設けられていない領域には、剥離可能であって、更に剥離後に再度貼付可能な接着力を有する再剥離再貼付用の糊層８が設けられている。
【００１４】
葉書用連続用紙２の縦折り用ミシン目線６から左側半分の領域上には、強接着糊層７ａにより強接着用連続用紙３が接着されている。
この強接着用連続用紙３には、下方に重ねられている葉書用連続用紙２の折り畳み用の横断ミシン目線５と重なる位置に、折り畳み用の横断ミシン目線９が形成されており、強接着用連続用紙３を葉書用連続用紙２と一緒に折り畳めるように構成されている。
【００１５】
また、葉書用連続用紙２の縦折り用ミシン目線６から右側半分の領域上には、強接着糊層７ｂと再剥離再貼付用の糊層８とにより剥離用連続用紙４が剥離可能な状態で仮接着されている。
剥離用連続用紙４には、下方に重ねられている葉書用連続用紙２の折り畳み用の横断ミシン目線５と重なる位置に、折り畳み用の横断ミシン目線１０が形成されており、剥離用連続用紙４を葉書用連続用紙２と一緒に折り畳めるように構成されている。
【００１６】
更に、剥離用連続用紙４の裏面側であって、葉書用連続用紙２の折り畳み用の横断ミシン目線５を挟んだ所定幅領域に設けられている強接着糊層７ｂと重なる領域に剥離層１１が設けられている。
したがって、葉書用連続用紙２上に貼付されている剥離用連続用紙４は、強接着糊層７ｂに対して剥離層１１が重ねられた構造であることから、葉書用連続用紙２上に所定部分に強接着糊層７ｂが設けられていても、葉書用連続用紙２上から剥離用連続用紙４を剥離させることができる。
これにより、剥離用連続用紙４を剥離させて、葉書用連続用紙２上の再剥離再貼付用の糊層８により、縦折り用ミシン目線６から２つ折りさせた葉書用連続用紙２を折り畳んで接着させ、印字情報を隠蔽させた葉書を作成することができる。
【００１７】
尚、図２には、本発明の実施形態に係る情報隠蔽用連続用紙の縦方向の断面図が示されているが、剥離用連続用紙４の裏面に設ける剥離層１１は、葉書用連続用紙２上に設けられている強接着糊層７ｂの領域よりも多少広い領域に設けることが好ましい。
これにより、強接着糊層７ｂの接着剤の一部が剥離用連続用紙４の裏面に接着することなく、スムーズに剥離用連続用紙４を剥離させることができる。
【００１８】
また、葉書用連続用紙２上には、強接着用連続用紙３と剥離用連続用紙４とが貼付されているので、用紙全体の厚みが均一となり、プリンタにより印字処理する際に段差がなくスムーズに印字処理を行うことができる。
【図面の簡単な説明】
【００１９】
【図１】本発明の実施形態に係る情報隠蔽用連続用紙の構成を説明する展開図である。
【図２】本発明の実施形態に係る情報隠蔽用連続用紙の断面図である。
【符号の説明】
【００２０】
１  情報隠蔽用連続用紙
２  葉書用連続用紙
２ａ  単位葉書用紙
３  強接着用連続用紙
４  剥離用連続用紙
５  折り畳み用の横断ミシン目線
６  縦折り用ミシン目線
７ａ，７ｂ  強接着糊層
８  再剥離再貼付用の糊層
９，１０  折り畳み用の横断ミシン目線
１１  剥離層
【図１】
2008030421.tif 000003
【図２】
2008030421.tif 000004